(57)【特許請求の範囲】
【請求項１】
加工布を保持するための布送り台が配置されたベッドと、そのベッドの上方においてＹ方向に延びるアームと、布送り台をＹ方向に駆動すると共に布送り台をＹ方向と直交するＸ方向に案内するためのＹ駆動体と、布送り台をＸ方向に駆動するためのＸ駆動体と、前記Ｙ駆動体のＸ方向における両端部に設けられた案内部材と、前記ベッドとアームとの間に配置され、前記案内部材をＹ方向に案内するためにＹ方向に延びるガイドレールとを備えたミシンにおいて、
前記ガイドレールをＸ方向における両端部においてそれぞれＹ方向に延びるように備えると共に、前記布送り台のＸ−Ｙ方向の駆動範囲と略同じ大きさに構成されたプレート状のものであって、前記アームの下端部に固定され、前記布送り台を下方に押圧するための押さえ板を備えたことを特徴とするミシン。
【請求項２】
前記案内部材は、前記ガイドレールと係合するコロを含んでいることを特徴とする請求項１に記載のミシン。
【発明の詳細な説明】
【０００１】
【発明の属する技術分野】
本発明は、布送り台をＸ−Ｙ方向に駆動するミシンに関する。
【０００２】
【従来の技術】
従来のミシンにおいては、特開昭５７−５５１７７号公報に示すように、ベッド内において、Ｘ方向に延びる２つのＸ軸固定レールと、そのＸ軸固定レール間でＸ方向に移動可能なように案内されるＸ軸移動レールと、そのＸ軸移動レール上に固定されたＹ方向に延びる２つのＹ軸固定レールと、そのＹ軸固定レール間でＹ方向に移動可能なように案内されるＹ軸移動レールとを備え、そのＹ軸移動レール上に布押さえ台が固定されている。そして、布押さえ台の後端部に取り付けられ、Ｘ方向に延びるＹ駆動台をＹ方向に駆動することにより、布押さえ台をＹ方向に駆動している。また、布押さえ台が固定されているＹ軸移動レールが２つのＹ軸固定レールに挟まれてガイドされている。
【０００３】
【発明が解決しようとする課題】
しかしながら、従来のミシンにおいては、Ｙ軸移動レールをガイドする２つのＹ軸固定レールがベッド内の限られた空間に配置されているため、Ｙ軸固定レール間が狭くなり、その結果、Ｙ駆動台のたわみや振動等がＹ軸移動レールに伝わってＹ軸移動レールがガタつきやすくなり、送り精度が悪くなるという問題点がある。
【０００４】
本発明は、上述した問題点を解決するためになされたものであり、送り精度を向上することができ、しかも、布送り台がどの位置に移動されてもその浮き上がりを防止できるミシンを提供することである。
【０００５】
【課題を解決するための手段】
この目的を達成するために、請求項１記載のミシンは、加工布を保持するための布送り台が配置されたベッドと、そのベッドの上方においてＹ方向に延びるアームと、布送り台をＹ方向に駆動すると共に布送り台をＹ方向と直交するＸ方向に案内するためのＹ駆動体と、布送り台をＸ方向に駆動するためのＸ駆動体と、前記Ｙ駆動体のＸ方向におけ両端部に設けられた案内部材と、前記ベッドとアームとの間に配置され、前記案内部材をＹ方向に案内するためにＹ方向に延びるガイドレールとを備えたものを対象として、特に、前記ガイドレールをＸ方向における両端部においてそれぞれＹ方向に延びるように備えると共に、前記布送り台のＸ−Ｙ方向の駆動範囲と略同じ大きさに構成されたプレート状のものであって、前記アームの下端部に固定され、前記布送り台を下方に押圧するための押さえ板を備えている。
【０００６】
この構成によれば、特に、前記ガイドレールをＸ方向における両端部においてそれぞれＹ方向に延びるように備えると共に、前記布送り台のＸ−Ｙ方向の駆動範囲と略同じ大きさに構成されたプレート状のものであって、前記アームの下端部に固定され、前記布送り台を下方に押圧するための押さえ板を備えているため、ガイドレール間を大きくすることができ、Ｙ駆動体のたわみや振動が抑制されて、その結果、布送り台のガタつきが抑えられ、送り精度を向上することができる。しかも、布送り台がＸ−Ｙ方向のどの位置に移動されてもその浮き上がりを防止することができると共に、ガイドレールの装備に押さえ板を利用してその構成を簡単にすることができる。
【０００７】
【０００８】
【０００９】
【００１０】
【００１１】
請求項２のミシンは、請求項１の発明において、案内部材は、ガイドレールと係合するコロを含んでいることを特徴とするものである。
【００１２】
この構成によれば、コロによって案内部材がガイドレールに沿ってスムーズに移動できる。
【００１３】
【発明の実施の形態】
以下、本発明の実施の形態について図面を参照して説明する。なお、図１に示すようにアームの延びる方向をＹ方向とし、そのＹ方向と直交する方向をＸ方向として説明する。
【００１４】
図２に示すように、ミシン本体１０は、Ｙ方向に延びるベッド１２と、ベッド１２の後端部から上方へ延びる脚柱部１４と、脚柱部１４からベッド１２と対向するように左方へ延びるアーム１６とを有する。また、ベッド１２の先端部分は比較的大きなテーブル１７にて覆われている。
【００１５】
ベッド１２の上面には加工布を保持するための布送り台１８がＸ−Ｙ方向に駆動可能に設けられている。布送り台１８は、Ｌ字形状の布押さえ台２０と、その布押さえ台２０の下端部に取り付けられた布押さえ下板２２と、その布押さえ下板２２と協働して加工布を挟持するための布押さえ体２４とを含んで構成されている。
【００１６】
布押さえ体２４は取り付け部材２６によって布押さえ台２０に上下動可能に取り付けられている。また、布押さえ台２０の側面にはエアシリンダ２８が取り付けられており、そのエアシリンダ２８は、ロッド３０を双方向に駆動可能に構成されている。また、布押さえ台２０の側面にはクランクピン３２が、その軸３３を中心に回動可能に取り付けられており、クランクピン３２の一端がエアシリンダ２８のロッド３０の先端部に回動可能に取り付けられている。そして、クランクピン３２の他端は取り付け部材２６の係合穴３４（図３参照）に挿入されるように構成されている。従って、エアシリンダ２８がそのロッド３０を出し入れすることにより、布押さえ体２４が上下に移動するようになっている。
【００１７】
次に、布送り台１８をＸ方向に駆動する機構について説明するが、この機構は特開昭５７−５５１７７号公報の機構と略同一のため簡単に説明する。ベッド１２内にはＸ送りモータ３６が設けられており、そのモータ３６の回転軸３８の先端部はベッド１２内に固定されたコ字形状の支持部材４０に回動可能に支持されている。また、回転軸３８の先端部には図示しない駆動プーリが固定されており、その駆動プーリと図示しない従動プーリとの間にはＸ方向に延びるタイミングベルト４２が掛けられている。
【００１８】
タイミングベルト４２の上部側にはＸ駆動体４６が固定具４４により固定されており、Ｘ駆動体４６の上端には布押さえ台２０を挟んでＹ方向に案内するための２本のＹ軸案内体４８がそれぞれ固定されている。また、Ｙ軸案内体４８のＹ方向における両端部の下方には補助案内体５０が各々固定されており、補助案内体５０はベッド１２内に各々固定されたＸ軸固定レール５２によってＹ軸案内体４８と共にＸ方向に案内されるように構成されている。
【００１９】
従って、Ｘ送りモータ３６が回動することによりＸ駆動体４６及びＹ軸案内体４８を介して布送り台１８がＸ方向に駆動されるようになっている。
【００２０】
次に、布送り台１８をＹ方向に駆動する機構について説明する。
【００２１】
脚柱部１４の側面にはＹ送りモータ５４が取り付けられており、脚柱部１４内に向かって延びる回転軸５６の先端部にはピニオン５８が固定されている。そして、そのピニオン５８と係合するラック６０が形成されたＹ駆動軸６２が脚柱部１４を貫いてＹ方向に移動可能に設けられている。
【００２２】
Ｙ駆動軸６２の布送り台１８側先端部にはＹ駆動体６４が固定されている。Ｙ駆動体６４は、図１に示すように、Ｘ方向に延びるコ字形状のＹ駆動本体６６と、Ｙ駆動本体６６の張り出した側壁部６６ａに固定されたＹ案内軸６８とから構成されている。そして、そのＹ案内軸６８は、布押さえ台２０の後端部分をＸ方向に貫いており、Ｙ案内軸６８と布押さえ台２０とはＸ方向には相対的に、Ｙ方向には一体的に駆動するようになっている。従って、Ｙ送りモータ５４が回動することによりＹ駆動軸６２及びＹ駆動体６４を介して布送り台１８がＹ方向に駆動されるようになっている。
【００２３】
Ｙ駆動本体６６の各側壁部６６ａには案内部材７０が、上方に張り出すように各々ネジで固定されている。案内部材７０は、側面視Ｌ字形状の案内本体７２と、案内本体７２の水平部７２ａの上面から突出する軸７４に回動可能に取り付けられたコロ７６とから構成されている。
【００２４】
アーム１６の下端部には、プレート状の押さえ板７８が固定されており、押さえ板７８によって布押さえ台２０の上端に取り付けられた被押さえ部８０を常に下方に押さえつけて布押さえ台２０がベッド１２から浮き上がるのを防止するように構成されている。
【００２５】
被押さえ部８０は、筒状部材８２と、その筒状部材８２に挿入されたバネ８４と、そのバネ８４によって押さえ板７８に押圧される係合部材８６とから構成されている。そして、押さえ板７８は、布送り台１８のＸ−Ｙ方向の駆動範囲と略同じ大きさに形成されており、布送り台１８がどの位置にいても被押さえ部８０と係合するように構成されている。
【００２６】
押さえ板７８のＸ方向の両端部の下端にはＹ方向に延びるガイドレール８８がネジ９０にて各々取り付けられている。そして、ガイドレール８８の側面と案内部材７０のコロ７６とが常に係合するように、ガイドレール８８とコロ７６とがそれぞれ配置されている。すなわち、押さえ板７８に対してガイドレール８８の位置がＸ方向に微調整可能なように構成されているとよい。
【００２７】
本実施の形態は以上のように構成されているので、Ｙ送りモータ５４が駆動するときにＹ駆動体６４がたわんだり振動しようとするが、案内部材７０とガイドレール８８とによってＹ駆動体６４のたわみや振動が抑制されて、その結果、布送り台１８のガタつきが抑えられ、送り精度を向上することができる。
【００２８】
また、ガイドレール８８が取り付けられるプレート状の押さえ板７８は、アーム１６とベッド１２との間のいわゆる懐とよばれる空間に配置されているので、ガイドレール８８間の大きさは何物にも制限されることなく大きくすることができる。
【００２９】
また、ガイドレール８８は既存の押さえ板７８に取り付けられているので、部品点数を少なくすることができる。
【００３０】
次に、参考形態について説明する。
【００３１】
本実施の形態においては、ガイドレール８８は既存の押さえ板７８に取り付けられているが、押さえ板以外の専用のプレートに取り付けられていてもよく、また、プレート以外の枠、梁等のミシン本体１０に固定のものであればよい。
【００３２】
また、本実施の形態においては、押さえ板７８がアーム１６の下端部に固定されているが、特開昭５７−５５１７７号公報に示されるように、アームに対して昇降可能な昇降プレートのようなものでもよい。
【００３３】
また、本実施の形態においては、コロ７６が案内部材側に設けられているが、ガイドレール８８側にコロ７６を設けるようにしてもよい。
【００３４】
【発明の効果】
以上説明したことから明らかなように、請求項１記載のミシンは、特に、前記ガイドレールをＸ方向における両端部においてそれぞれＹ方向に延びるように備えると共に、前記布送り台のＸ−Ｙ方向の駆動範囲と略同じ大きさに構成されたプレート状のものであって、前記アームの下端部に固定され、前記布送り台を下方に押圧するための押さえ板を備えているため、ガイドレール間を大きくすることができ、Ｙ駆動体のたわみや振動が抑制されて、その結果、布送り台のガタつきが抑えられ、送り精度を向上することができる。しかも、布送り台がＸ−Ｙ方向のどの位置に移動されてもその浮き上がりを防止することができると共に、ガイドレールの装備に押さえ板を利用してその構成を簡単にすることができる。
【００３５】
【００３６】
【００３７】
請求項２のミシンは、請求項１の発明において、案内部材は、ガイドレールと係合するコロを含んでいるので、コロによって案内部材がガイドレールに沿ってスムーズに移動できる。
【図面の簡単な説明】
【図１】  本実施形態に係るミシンの外観上面図である。
【図２】  上記ミシンの側面図である。
【図３】  上記ミシンの正面図である。
【符号の説明】
１２    ベッド
１６    アーム
１８    布送り台
４６    Ｘ駆動体
６４    Ｙ駆動体
６６    Ｙ駆動本体
６６ａ  側壁部
６８    Ｙ案内軸
７０    案内部材
７２    案内本体
７２ａ  水平部
７６    コロ
７８    押さえ板
８８    ガイドレール
９０    ネジ
【図１】
0004066707.tif 000002
【図２】
0004066707.tif 000003
【図３】
0004066707.tif 000004